(57)【要約】【課題】通信トラフィックを適切に制御すること。【解決手段】実施形態に係る照明装置１は、光源１１と、通信部１２と、切替部１４３とを具備する。光源１１は、周囲を照明する。通信部１２は、所定位置に配置された他の照明装置１００と通信可能である。切替部１４３は、通信部１２の電波範囲について、他の照明装置１００の位置を含む第１電波範囲Ｒ１２ａと、他の照明装置１００の位置を含まない第２電波範囲Ｒ１２ｂとを、所定の切替条件に基づいて切り替える。【選択図】図２
2019175796.tif 000002
【特許請求の範囲】
【請求項１】
周囲を照明する光源と；
所定位置に設置された他の照明装置と通信可能な通信部と；
前記通信部の電波範囲について、前記他の照明装置の位置を含む第１電波範囲と、前記他の照明装置の位置を含まない第２電波範囲とを、所定の切替条件に基づいて切り替える切替部と；
を具備する照明装置。
【請求項２】
前記通信部は、
前記切替部による切替先が前記第２電波範囲であった場合、ユーザが携帯する端末装置と通信を行う
請求項１に記載の照明装置。
【請求項３】
前記照明装置の動作状況を検出する検出部；
をさらに具備し、
前記切替部は、
前記検出部によって検出された前記動作状況を簡易的に示す簡易情報を出力する場合、切替先を前記第１電波範囲にし、前記動作状況を詳細に示す詳細情報を出力する場合、切替先を前記第２電波範囲にする
請求項１または２に記載の照明装置。
【請求項４】
前記簡易情報は、
前記照明装置における動作異常の有無を示す情報であり、
前記詳細情報は、
前記動作異常の詳細を示す情報である
請求項３に記載の照明装置。
【請求項５】
前記第１電波範囲には、複数の前記他の照明装置が含まれ、
前記検出部は、
前記複数の他の照明装置のうち、所定の前記他の照明装置との通信途絶をさらに検出し、
前記切替部は、
前記検出部によって前記通信途絶が検出された場合、切替先を前記第１電波範囲にし、
前記通信部は、
前記第１電波範囲において前記通信途絶となっていない前記他の照明装置に対して当該通信途絶を示す途絶情報を出力する
請求項３または４に記載の照明装置。
【請求項６】
前記切替部は、
前記第１電波範囲により通信を行う第１モードと、前記第１電波範囲および前記第２電波範囲を所定時間毎に切り替えて通信を行う第２モードとを、所定のモード条件に基づいて切り替える
請求項１〜５のいずれか１つに記載の照明装置。
【発明の詳細な説明】
【技術分野】
【０００１】
本発明の実施形態は、照明装置に関する。
【背景技術】
【０００２】
従来、例えば、無線通信を用いて端末装置から調光や調色等を行うことのできる照明装置が知られている。かかる照明装置は、他の照明装置とも通信を行うことで相互に情報を送受信する。
【先行技術文献】
【特許文献】
【０００３】
【特許文献１】特開２０１７−２２５１６９号公報
【発明の概要】
【発明が解決しようとする課題】
【０００４】
しかしながら、上記した照明装置では、通信トラフィックを適切に制御する点で改善の余地があった。例えば、点検者が端末装置を使用して照明装置を点検しようとした場合、他の照明装置および端末装置双方と並列して通信すると、通信量が嵩み、結果、通信トラフィックが大きくなるおそれがある。
【０００５】
本発明が解決しようとする課題は、通信トラフィックを適切に制御することができる照明装置を提供することを目的とする。
【課題を解決するための手段】
【０００６】
実施形態に係る照明装置は、光源と、通信部と、切替部とを具備する。前記光源は、周囲を照明する。前記通信部は、所定位置に配置された他の照明装置と通信可能である。前記切替部は、前記通信部の電波範囲について、前記他の照明装置の位置を含む第１電波範囲と、前記他の照明装置の位置を含まない第２電波範囲とを、所定の切替条件に基づいて切り替える。
【図面の簡単な説明】
【０００７】
【図１】図１は、実施形態に係る照明システムの構成例を示す図である。
【図２】図２は、実施形態に係る照明装置の構成例を示す図である。
【図３】図３は、モード情報の説明図である。
【図４】図４は、状況情報の説明図である。
【図５】図５は、他装置情報の説明図である。
【図６】図６は、実施形態に係る照明システムにおける情報出力処理を示す図である。
【図７】図７は、実施形態に係る照明システムにおける情報出力処理を示す図である。
【図８】図８は、実施形態に係る照明システムにおける情報出力処理を示す図である。
【図９】図９は、照明装置が実行するモード切替処理の処理手順を示すフローチャートである。
【図１０】図１０は、照明装置が実行する出力処理（その１）の処理手順を示すフローチャートである。
【図１１】図１１は、照明装置が実行する出力処理（その２）の処理手順を示すフローチャートである。
【発明を実施するための形態】
【０００８】
以下で説明する実施形態に係る照明装置１は、光源１１と、通信部１２と、切替部１４３とを具備する。光源１１は、周囲を照明する。通信部１２は、所定位置に配置された他の照明装置１００と通信可能である。切替部１４３は、通信部１２の電波範囲について、他の照明装置１００の位置を含む第１電波範囲Ｒ１２ａと、他の照明装置１００の位置を含まない第２電波範囲Ｒ１２ｂとを、所定の切替条件に基づいて切り替える。
【０００９】
以下で説明する実施形態に係る照明装置１において、通信部１２は、切替部１４３による切替先が第２電波範囲Ｒ１２ｂであった場合、ユーザが携帯する端末装置２００と通信を行う。
【００１０】
以下で説明する実施形態に係る照明装置１は、検出部１４１をさらに具備する。検出部１４１は、照明装置１の動作状況を検出する。切替部１４３は、検出部１４１によって検出された動作状況を簡易的に示す簡易情報を出力する場合、切替先を第１電波範囲Ｒ１２ａにし、動作状況を詳細に示す詳細情報を出力する場合、切替先を第２電波範囲Ｒ１２ｂにする。
【００１１】
以下で説明する実施形態に係る照明装置１において、簡易情報は、照明装置１における動作異常の有無を示す情報である。詳細情報は、動作異常の詳細を示す情報である。
【００１２】
以下で説明する実施形態に係る照明装置１において、第１電波範囲Ｒ１２ａには、複数の他の照明装置１００が含まれる。検出部１４１は、複数の他の照明装置１００のうち、所定の他の照明装置１００との通信途絶を検出する。切替部１４３は、検出部１４１によって通信途絶が検出された場合、切替先を第１電波範囲Ｒ１２ａにする。通信部１２は、第１電波範囲Ｒ１２ａにおいて通信途絶となっていない他の照明装置１００に対して通信途絶を示す途絶情報を出力する。
【００１３】
以下で説明する実施形態に係る照明装置１において、切替部１４３は、第１電波範囲Ｒ１２ａにより通信を行う第１モードｍｄ１と、第１電波範囲Ｒ１２ａおよび第２電波範囲Ｒ１２ｂを所定時間毎に切り替えて通信を行う第２モードｍｄ２とを、所定のモード条件に基づいて切り替える。
【００１４】
以下、図面を参照して、実施形態に係る照明装置について説明する。実施形態において同一の部位には同一の符号を付し、重複する説明は省略される。
【００１５】
（実施形態）
まず、図１を用いて、実施形態に係る照明装置１を含む照明システムＳについて説明する。図１は、実施形態に係る照明システムＳの構成例を示す図である。図１に示すように、実施形態に係る照明システムＳは、複数の照明装置１，１００と、端末装置２００とを具備する。なお、以下では、照明装置１以外の照明装置１００を他の照明装置１００と記載する場合がある。
【００１６】
端末装置２００は、例えば、照明装置１の動作を点検する点検者等であるユーザが携帯する端末装置である。端末装置２００は、例えば、スマートデバイス（スマートフォン、あるいはタブレット）、携帯電話、可搬性のパーソナルコンピュータ等（いわゆるノートパソコン）を採用可能である。端末装置２００は、通信機能を備え、照明装置１，１００と情報の送受信を行う。
【００１７】
照明装置１，１００は、例えば、非常灯等の非常用照明装置である。非常用照明装置としての照明装置１は、施設内に所定の間隔で配置され、停電時や災害時等の非常時において、避難誘導のために室内や床面を照らす。なお、照明装置１，１００は、非常口や避難通路を示すために設置される誘導灯であってもよい。また、照明装置１，１００は、平常時は照明装置として点灯し、停電等の非常時に避難誘導のために室内や床面を照らす照明装置であってもよい。
【００１８】
なお、照明装置１，１００は、非常用照明装置に限定されるものではなく、例えば、テニスコート等の競技場といった比較的広い領域全体を照らす照明装置や、道路灯等の照明装置であってもよい。換言すれば、照明装置１は、他の照明装置１００と共同で所定の照射対象を照明する照明装置であればよい。
【００１９】
図１に示すように、照明装置１，１００は、非常用ランプ等の光源１１，１１０と、通信部１２，１２０とを具備する。また、照明装置１，１００は、蓄電池を具備し、例えば、外部電源からの電力供給が遮断された場合に、かかる蓄電池から供給される電力を用いて光源１１，１１０や通信部１２，１２０を動作可能にする。なお、以下では、光源１１，１１０および通信部１２，１２０を単に、光源１１および通信部１２と記載する場合がある。
【００２０】
光源１１は、たとえば非常用ランプであり、図示しない外部電源から供給される電力が著しく低下した場合（すなわち、停電時）に点灯する。光源１１としては、たとえば蛍光灯やＬＥＤ（Light  Emitting  Diode）等、目的に応じて種々の光源が用いられてもよい。また、外部電源は、たとえば電力会社等から供給される電力源や、太陽光発電システムから供給される電力源である。
【００２１】
光源１１の配光特性（光の広がり方）は、配光曲線の形状にちなんだ、いわゆるなみだ型や、バットウイング型の配光特性を採用可能である。なみだ型とは、光源１１の直下を主として照らし、直下からの水平方向への角度（配光角）が比較的狭い配光特性を指す。なみだ型の配光特性は、例えば、照明装置１の取付高さが比較的高い場合に採用される。なお、取付高さが高い照明装置１は、高天井型とも呼ばれる。
【００２２】
また、バットウイング型とは、光源１１の直下よりも水平方向側（例えば、配光角が６０度から７０度近辺）を主として照らす広範囲の配光特性を指す。バットウイング型の配光特性は、例えば、照明装置１の取付高さが比較的低い場合に採用される。なお、取付高さが低い照明装置１は、低天井型とも呼ばれる。
【００２３】
なお、図１では、照明装置１は、１つの光源１１を備える場合を例に挙げたが、複数の光源１１を備えてもよい。かかる場合、各光源１１の配光特性は、同じであってもよく、異なってもよい。つまり、複数の光源１１は、少なくとも１つがなみだ型の配光特性で、少なくとも１つがバットウイング型の配光特性であってもよい。
【００２４】
なお、光源１１の配光特性を示す配光曲線は、なみだ型およびバットウイング型に限定されるものではなく、様々な形状の配光曲線であってもよく、例えば、なみだ型およびバットウイング型の双方を兼ね備えた配光曲線の形状であってもよい。
【００２５】
また、例えば、光源１１に配光制御可能なカバーを取り付けてもよい。例えば、かかるカバーは、光源１１の配光特性をなみだ型からバットウイング型に変換したり、逆に、バットウイング型からなみだ型に変換したりするものであってもよい。あるいは、かかるカバーは、なみだ型やバットウイング型の配光曲線の形状を変えずに、配光角のみを変換するものであってもよい。
【００２６】
また、照明装置１は、他の照明装置１００に対して所定の照射態様を満たすように配置されている。照射態様とは、例えば、床面等の照射対象面における光の強度を指す。例えば、非常用照明装置の場合、床面等の照射対象面を１ルクス以上の照度で照らすよう法令（例えば、建築基準法）で定められている場合がある。例えば、図１において、照明装置１は、照射範囲の一部の領域が、照明装置１００の照射範囲の一部の領域と重なるように配置されることで照射態様を満たす。換言すれば、照明装置１の照射範囲全体で１ルクス以上の照明態様を満たすために、他の照明装置１００の光の一部を利用する。また、他の照明装置１００にとっても、照射範囲Ｒ１００全体で１ルクス以上の照明態様を満たすために、照明装置１の光の一部を利用する。つまり、照明装置１および他の照明装置１００は、互いの光を共有して照射態様を満たすように配置される。
【００２７】
また、照射態様は、法令に定められたものに限定されるものではない。例えば、テニスコートを照らす照明装置等のように、施設毎や、競技種目毎に定められた照明態様や、所定の機関や個人が独自で定めた照明態様であってもよい。
【００２８】
また、照射態様は、照度（ルクス：ｌｘ）に限定されるものではなく、光の強度を示す指標であればよい。例えば、道路灯等では、輝度（カンデラ：ｃｄ／ｍ２）の均斉度が照射態様として定められている。
【００２９】
通信部１２は、たとえばビーコンであり、照明装置１と他の照明装置１００（または、端末装置２００）との間で通信を可能とする。通信部１２は、たとえば、無線ＬＡＮ（Local  Area  Network）、Ｂｌｕｅｔｏｏｔｈ（登録商標）、ＢＬＥ（Bluetooth  Low  Energy）等の無線通信規格に従って通信を行う。
【００３０】
ところで、このような照明システムＳでは、通信トラフィックを適切に制御することが望まれている。例えば、照明装置１は、他の照明装置１００や端末装置２００との間で通信を行うためには、比較的広い電波範囲を必要とする。そして、比較的広い電波範囲により他の照明装置１００と通信を行っている場合に、端末装置２００に対して照明装置１の異常に関する情報等を出力するとなると、通信量が嵩んでしまい、結果、通信トラフィックが大きくなる。
【００３１】
そこで、実施形態に係る照明装置１は、通信部１２の電波範囲を状況に応じて切り替えることとした。具体的には、図１に示すように、実施形態に係る照明装置１は、他の照明装置１００の位置を含む第１電波範囲Ｒ１２ａと、他の照明装置１００の位置を含まない第２電波範囲Ｒ１２ｂとを、所定の切替条件に基づいて切り替える。
【００３２】
例えば、実施形態に係る照明装置１は、他の照明装置１００との間での通信を行う場合に、第１電波範囲Ｒ１２ａに切り替え、例えば、点検者等のユーザが携帯する端末装置２００と通信する場合に、第２電波範囲Ｒ１２ｂに切り替える。これにより、例えば、点検時等において、他の照明装置１００および端末装置２００双方と並列して通信することを防止できるため、通信量が嵩むことを防止できる。すなわち、実施形態に係る照明装置１によれば、通信トラフィックを適切に制御することができる。
【００３３】
また、実施形態に係る照明装置１は、第２電波範囲Ｒ１２ｂの場合に、点検者等のユーザが携帯する端末装置２００と通信することで、照明装置１の動作状況に関する情報等の比較的情報量が多い情報を端末装置２００へ迅速に送信することができる。
【００３４】
さらに、図１に示すように、第２電波範囲Ｒ１２ｂは、第１電波範囲Ｒ１２ａよりも電波範囲が狭い、換言すれば、第２電波範囲Ｒ１２ｂは、第１電波範囲Ｒ１２ａよりも電波強度が弱い。従って、第２電波範囲Ｒ１２ｂに切り替えることで、通信部１２の消費電力を抑えることができる。
【００３５】
なお、図１では、第１電波範囲Ｒ１２ａよりも第２電波範囲Ｒ１２ｂが狭い場合を一例として示したが、例えば、通信部１２の電波の指向性を切り替えてもよい。つまり、第１電波範囲Ｒ１２ａは、他の照明装置１００を含む電波の指向性を有し、第２電波範囲Ｒ１２ｂは、他の照明装置１００を含まない電波の指向性を有してもよい。
【００３６】
次に、図２を用いて、実施形態に係る照明装置１の構成例について説明する。図２は、実施形態に係る照明装置１の構成例を示す図である。
【００３７】
図２に示すように、照明装置１は、光源１１と、通信部１２と、蓄電池１３と、制御部１４と、記憶部１５とを具備する。なお、図２に示す外部電源６は、例えば電力会社等から供給される電力源である。また、外部電源６は、太陽光発電システムから供給される電力源であってもよい。
【００３８】
蓄電池１３は、停電時において非常用電源として利用される。例えば、蓄電池１３は、照明装置１に対して着脱自在である。蓄電池１３は、外部電源６から供給される電力によって充電される。
【００３９】
制御部１４は、照明装置１の各部を制御するコントローラである。制御部１４は、ＣＰＵ（Central  Processing  Unit）、ＭＰＵ（Micro  Processing  Unit）等のプロセッサであってもよいし、ＦＰＧＡ（Field  Programmable  Gate  Array）、ＡＳＩＣ（Application  Specific  Integrated  Circuit）等の集積回路であってもよい。また、制御部１４は、１つの素子で構成されていてもよいし、複数の素子で構成されていてもよい。制御部１４が複数の素子で構成される場合、これら複数の素子は、照明装置１内の離れた場所に配置されていてもよい。例えば、複数の素子が別々の基板に実装されていてもよい。
【００４０】
また、制御部１４は、検出部１４１と、生成部１４２と、切替部１４３とを具備する。これらは制御部１４の機能を示す機能ブロックである。これら機能ブロックはソフトウェアブロックであってもよいし、ハードウェアブロックであってもよい。たとえば、上述の機能ブロックが、それぞれ、ソフトウェア（マイクロプログラムを含む）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。なお、検出部１４１、生成部１４２および切替部１４３の具体的な処理については後述する。
【００４１】
記憶部１５は、たとえば、ＤＲＡＭ（Dynamic  Random  Access  Memory）、ＳＲＡＭ（Static  Random  Access  Memory）、フラッシュメモリ等の記憶装置である。図２に示すように、記憶部１５は、モード情報１５１と、状況情報１５２と、他装置情報１５３とを記憶する。
【００４２】
モード情報１５１は、通信部１２の電波範囲の制御モードに関する情報である。図３は、モード情報１５１の説明図である。図３に示すように、モード情報１５１には、２つの制御モードが存在し、これら２つの制御モードを後述の切替部１４３が所定のモード条件に基づいて切り替える。なお、モード条件については後述する。
【００４３】
図３に示すように、２つの制御モードとは、第１モードｍｄ１および第２モードｍｄ２
である。第１モードｍｄ１は、通信部１２の電波範囲が、常時第１電波範囲Ｒ１２ａである制御モードである。
【００４４】
第２モードｍｄ２は、通信部１２の電波範囲について、第１電波範囲Ｒ１２ａおよび第２電波範囲Ｒ１２ｂを所定時間毎に切り替える制御モードである。第２モードｍｄ２における電波範囲の切替タイミングは、常に一定の時間毎であってもよく、第２電波範囲Ｒ１２ｂを所定時間継続した後に、第１電波範囲Ｒ１２ａにごく短時間だけ切り替えて、また第２電波範囲Ｒ１２ｂに戻してもよい。また、第２モードｍｄ２の切替タイミングは、例えば、端末装置２００と通信を行っている間は、第２モードｍｄ２を維持し、端末装置２００との通信が終了した場合には、第１電波範囲Ｒ１２ａおよび第２電波範囲Ｒ１２ｂを切り替える制御を行ってもよい。
【００４５】
なお、図３では、１種類の第２モードｍｄ２を示したが、例えば、照明装置１の周囲の状況毎に複数の第２モードｍｄ２が設定されてもよい。また、第２モードｍｄ２における第２電波範囲Ｒ１２ｂも１種類に限定されず、複数種類の第２電波範囲Ｒ１２ｂを順次切り替えてもよい。
【００４６】
また、図３では、第１モードｍｄ１は、第１電波範囲Ｒ１２ａのみの場合を示したが、第１モードｍｄ１も、第２モードｍｄ２と同様に、第１電波範囲Ｒ１２ａおよび第２電波範囲Ｒ１２ｂを交互に切り替える制御モードであってもよい。かかる場合、例えば、第１モードｍｄ１は、第１電波範囲Ｒ１２ａの継続時間を第２モードｍｄ２の第１電波範囲Ｒ１２ａの継続時間よりも長くする。
【００４７】
次に、状況情報１５２は、照明装置１の動作状況を示す情報である。状況情報１５２は、後述の生成部１４２によって生成される。また、動作状況は、後述の検出部１４１によって検出される。図４は、状況情報１５２の説明図である。図４に示すように、状況情報１５２には、時刻、異常有無、異常詳細といった項目が含まれる。
【００４８】
「時刻」は、検出部１４１による検出処理が行われた時刻を示す。「異常有無」は、検出部１４１の検出結果であり、異常の有無を示す情報である。「異常詳細」は、検出された異常の詳細を示す情報である。
【００４９】
図４に示す例では、時刻「Ｔ１」においては、照明装置１は正常であることを示す。また、時刻「Ｔ２」においては、照明装置１は異常であることを示し、その異常が「ランプ寿命」、つまり、光源１１の寿命であることを示す。
【００５０】
次に、他装置情報１５３は、他の照明装置１００の動作状況を示す情報である。他装置情報１５３は、例えば、第１電波範囲Ｒ１２ａによる通信時に他の照明装置１００から取得可能である。図５は、他装置情報１５３の説明図である。
【００５１】
図５に示すように、他装置情報１５３には、装置ＩＤ、通信異常、その他異常等といった項目が含まれる。「装置ＩＤ」は、他の照明装置１００を識別する識別情報である。「通信異常」は、他の照明装置１００における通信部１２０の異常の有無を示す情報である。「その他異常」は、上述した通信異常以外の異常の有無を示す情報である。
【００５２】
図５に示す例では、装置ＩＤ「Ｌ１」で識別される他の照明装置１００は、動作状況が正常であることを示し、装置ＩＤ「Ｌ２」で識別される他の照明装置１００は、通信異常以外の異常が有ることを示し、装置ＩＤ「Ｌ３」で識別される他の照明装置１００は、通信異常であることを示す。なお、装置ＩＤ「Ｌ２」で識別される他の照明装置１００の異常の詳細については、他装置情報１５３には含まれない。つまり、他の照明装置１００の動作状況については、異常の有無のみに関する情報が、照明装置１に記憶される。
【００５３】
図２に戻って、制御部１４が具備する各部の機能について説明する。図２に示すように、制御部１４は、検出部１４１と、生成部１４２と、切替部１４３とを具備する。なお、制御部１４は、上記の機能以外に、光源１１の点灯制御や、蓄電池１３の充放電制御を行うが、詳細については省略する。
【００５４】
検出部１４１は、照明装置１の動作状況を検出する。動作状況は、例えば、照明装置１における照明機能の異常や、通信機能の異常を含む。具体的には、照明機能の異常とは、光源１１の寿命（使用時間）や、蓄電池１３の劣化度、各回路の故障等を含む。また、通信機能の異常とは、通信部１２の異常である。これらの異常検出は、例えば、ウォッチドッグタイマ等の既知の検出手法を採用可能である。
【００５５】
また、検出部１４１は、他の照明装置１００の通信途絶を検出する。具体的には、検出部１４１は、第１電波範囲Ｒ１２ａに含まれる他の照明装置１００と通信が確立できない場合に、通信途絶を検出する。例えば、検出部１４１は、他の照明装置１００から所定時間以上応答が無かった場合に、通信途絶を検出する。
【００５６】
なお、検出部１４１は、上記した検出処理（動作状況および通信途絶）により１回だけ動作状況が異常の場合に異常を検出してもよく、あるいは、複数回連続して動作状況が異常の場合に異常を検出してもよい。これにより、検出処理におけるノイズ成分を異常であると誤検出することを防止できる。なお、検出部１４１は、異常検出後については、引き続き検出処理を行ってもよく、検出処理を停止させてもよい。
【００５７】
なお、検出部１４１による上記した検出処理の処理タイミングは、任意である。例えば、検出部１４１は、一定間隔で検出処理を行ってもよく、あるいは、点検者等のユーザから端末装置２００を介して指示を受け付けた場合に、検出処理を行ってもよい。あるいは、検出部１４１は、１回動作状況の異常が検出されて以降の検出処理については、それ以前よりも高頻度に行ってもよい。
【００５８】
生成部１４２は、検出部１４１に検出された動作状況を示す状況情報１５２を生成する。状況情報１５２には、照明装置１や他の照明装置１００が正常または異常であることを示す情報や、異常である場合における異常の詳細情報が含まれる。例えば、生成部１４２は、後述の切替部１４３による切替先の電波範囲に応じた状況情報１５２を生成するが、かかる点については図６〜図８で後述する。
【００５９】
切替部１４３は、モード情報１５１における制御モードの切替処理および第２モードｍｄ２における電波範囲の切替処理を行う。まず、制御モードの切替処理について説明する。例えば、切替部１４３は、モード情報１５１における第１モードｍｄ１と、第２モードｍｄ２とを、所定のモード条件に基づいて切り替える。上記したように、第１モードｍｄ１とは、第１電波範囲Ｒ１２ａにより通信を行う制御モードであり、第２モードｍｄ２とは、第１電波範囲Ｒ１２ａおよび第２電波範囲Ｒ１２ｂを所定時間毎に切り替えて通信を行う制御モードである。
【００６０】
例えば、切替部１４３は、制御モードが第１モードｍｄ１である場合に、点検者等のユーザから端末装置２００を介して切替指示を受け付けた場合に、モード条件を満たすとして、第１モードｍｄ１から第２モードｍｄ２へ切り替える。
【００６１】
また、切替部１４３は、制御モードが第２モードｍｄ２である場合に、点検者等から端末装置２００を介して切替指示を受け付けた場合に、モード条件を満たすとして、第２モードｍｄ２から第１モードｍｄ１へ切り替える。
【００６２】
なお、切替部１４３は、ユーザからの切替指示に基づく手動切替に限定されず、例えば、時間に基づく自動切替であってもよい。例えば、照明装置１がショッピングセンタ等に設置される場合、切替部１４３は、かかるショッピングセンタの閉店時間となった場合に、第１モードｍｄ１から第２モードｍｄ２へ切り替え、ショッピングセンタの開店時間となった場合に、第２モードｍｄ２から第１モードｍｄ１へ切り替えてもよい。
【００６３】
次に、第２モードｍｄ２における電波範囲の切替処理について説明する。切替部１４３は、第１電波範囲Ｒ１２ａと、第２電波範囲Ｒ１２ｂとを、所定の切替条件に基づいて切り替える。
【００６４】
例えば、切替部１４３は、第１電波範囲Ｒ１２ａの継続時間と、第２電波範囲Ｒ１２ｂの継続時間を略同じになるように切り替える。つまり、切替部１４３は、第１電波範囲Ｒ１２ａおよび第２電波範囲Ｒ１２ｂを等間隔（例えば、５００ｍｓｅｃ毎）で切り替える。
【００６５】
なお、切替部１４３は、第１電波範囲Ｒ１２ａの継続時間が第２電波範囲Ｒ１２ｂの継続時間よりも短く（あるいは長く）なるように切り替えてもよい。
【００６６】
あるいは、切替部１４３は、生成部１４２によって生成された状況情報１５２の出力先に応じて電波範囲を切り替えてもよい。例えば、切替部１４３は、他の照明装置１００へ状況情報１５２を出力する場合には、切替先を第１電波範囲Ｒ１２ａにし、端末装置２００へ状況情報１５２を出力する場合には、切替先を第２電波範囲Ｒ１２ｂにする。
【００６７】
なお、他の照明装置１００へ状況情報１５２を出力する場合には、検出された動作状況を簡易的に示す簡易情報を出力し、端末装置２００へ状況情報１５２を出力する場合には、検出された動作状況を詳細に示す詳細情報を出力するがかかる点については図６〜図８で後述する。
【００６８】
また、切替部１４３は、例えば、端末装置２００が第２電波範囲Ｒ１２ｂにより検出されるまでは、第２電波範囲Ｒ１２ｂを継続してもよい。かかる場合、切替部１４３は、端末装置２００が検出されて以降については、第１電波範囲Ｒ１２ａおよび第２電波範囲Ｒ１２ｂを交互に切り替えることで、他の照明装置１００の最新の状況情報１５２を取得可能とする。
【００６９】
これにより、点検者が所望の位置の照明装置１，１００と確実に通信できるとともに、第２電波範囲Ｒ１２ｂの継続中に古くなった他の照明装置１００の状況情報１５２を更新することができる。
【００７０】
次に、図６〜図８を用いて、照明システムＳにおける照明装置１，１００の異常時の情報出力処理について具体的に説明する。図６〜図８は、実施形態に係る照明システムＳにおける情報出力処理を示す図である。なお、図６〜図８では、照明システムＳは、照明装置１および複数の他の照明装置１００ａ〜１００ｄを具備する場合を示す。また、図６〜図８には、各照明装置１，１００ａ〜１００ｄの第１電波範囲Ｒ１２ａ，Ｒ１２０ａａ〜Ｒ１２０ａｄおよび第２電波範囲Ｒ１２ｂ，Ｒ１２０ｂａ〜Ｒ１２０ｂｄを示す。なお、図６〜図８では、すべての照明装置１，１００ａ〜１００ｄの制御モードが同じであり、制御モードの切替も一斉に行われることとする。なお、図６〜図８に示す、照明装置１および他の照明装置１００ａ〜１００ｄの配置関係は一例であって、任意の配置を採用可能である。
【００７１】
まず、図６および図７を用いて、照明装置１がランプ寿命であることを検出部１４１が検出した場合について説明する。図６では、第１電波範囲Ｒ１２ａにおける状況情報１５２の出力処理を示し、図７では、第２電波範囲Ｒ１２ｂにおける状況情報１５２の出力処理を示す。なお、図６に示す第１電波範囲Ｒ１２ａは、第１モードｍｄ１および第２モードｍｄ２のいずれの制御モードであってもよい。
【００７２】
照明装置１の生成部１４２は、通信部１２の電波範囲が第１電波範囲Ｒ１２ａである場合、検出部１４１によって検出された動作状況を簡易的に示す簡易情報を生成する。具体的には、簡易情報は、照明装置１の動作異常の有無を示す情報である。より具体的には、簡易情報は、ランプ寿命の有無であってもよく、単に照明装置１の異常の有無であってもよい。例えば、簡易情報は、異常の有無を示す「０」または「１」のいずれかのフラグ情報である。
【００７３】
そして、図６に示すように、照明装置１は、第１電波範囲Ｒ１２ａに含まれる他の照明装置１００ｃ，１００ｄへ生成した簡易情報を出力する。換言すれば、照明装置１の切替部１４３は、簡易情報を出力する場合、切替先を第１電波範囲Ｒ１２ａにするとも言える。そして、図６に示すように、他の照明装置１００ｃは、照明装置１が動作異常であることを示す簡易情報を自身の第１電波範囲Ｒ１２０ａｃに含まれる他の照明装置１００ａ，１００ｂへ出力する。
【００７４】
これにより、照明システムＳにおいて、すべての他の照明装置１００ａ〜１００ｄが照明装置１の動作異常を示す簡易情報を取得することができる。すなわち、点検者が端末装置２００を介して他の照明装置１００ａ〜１００ｄのいずれと通信したとしても、照明装置１の動作異常を確認できるため、動作異常の照明装置１を早期に発見でき、点検作業の効率化に寄与できる。
【００７５】
一方、照明装置１の生成部１４２は、通信部１２の電波範囲が第２電波範囲Ｒ１２ｂである場合、検出部１４１によって検出された動作状況を詳細に示す詳細情報を生成する。具体的には、詳細情報は、ランプ寿命となったランプの使用時間や、ランプの品番等を含む。つまり、詳細情報は、簡易情報に比べて情報量が多い情報である。
【００７６】
そして、図７に示すように、照明装置１は、第２電波範囲Ｒ１２ｂに含まれる端末装置２００へ生成した詳細情報を出力する。換言すれば、照明装置１の切替部１４３は、詳細情報を出力する場合、切替先を第２電波範囲Ｒ１２ｂにするとも言える。
【００７７】
つまり、切替部１４３は、詳細情報のように、比較的情報量が多い情報を出力する場合には、他の照明装置１００ｃ，１００ｄとの通信を禁止し、端末装置２００とのみ通信できるようにする。これにより、詳細情報を出力中に他の照明装置１００ｃ，１００ｄと通信できなくなるため、通信トラフィックが大きくなることを防止できる。
【００７８】
なお、切替部１４３は、第２電波範囲Ｒ１２ｂ内に端末装置２００が存在したとしても、詳細情報の要求指示が無い場合には、定期的に第１電波範囲Ｒ１２ａに切り替えて、他の照明装置１００ａ〜１００ｄの状況情報１５２を取得（あるいは自身の状況情報１５２を送信）して、他装置情報１５３を更新してもよい。
【００７９】
また、図６および図７に示す例では、照明装置１が動作異常である場合を示したが、例えば、照明装置１が正常である場合も、他の照明装置１００ｃ，１００ｄや、端末装置２００に対して正常であることを示す状況情報１５２を出力してもよい。
【００８０】
また、照明装置１は、出力する状況情報１５２について、正常か動作異常かにより出力頻度を変えてもよい。具体的には、照明装置１は、動作異常を示す状況情報１５２の出力頻度を、正常を示す状況情報１５２の出力頻度よりも高くしてもよい。
【００８１】
次に、図８を用いて、他の照明装置１００が通信途絶の場合における情報出力処理について説明する。図８では、照明装置１の第１電波範囲Ｒ１２ａに含まれる他の照明装置１００ｄが通信途絶である場合を示す。
【００８２】
図８に示すように、照明装置１の生成部１４２は、検出部１４１が第１電波範囲Ｒ１２ａに含まれる他の照明装置１００ｄの通信途絶を検出した場合、他の照明装置１００ｄが通信途絶であることを示す途絶情報を生成する。
【００８３】
そして、照明装置１は、通信途絶となっていない他の照明装置１００ｃへ生成した途絶情報を出力する。換言すれば、切替部１４３は、検出部１４１によって通信途絶が検出された場合、切替先を第１電波範囲Ｒ１２ａにするとも言える。
【００８４】
そして、図８に示すように、他の照明装置１００ｃは、他の照明装置１００ｄが通信途絶であることを示す途絶情報を自身の第１電波範囲Ｒ１２０ａｃに含まれる他の照明装置１００ａ，１００ｂへ出力する。なお、他の照明装置１００ｃは、他の照明装置１００ｄと通信を行い、通信途絶であることを確認してから他の照明装置１００ａ，１００ｂへ途絶情報を出力してもよい。
【００８５】
これにより、照明システムＳにおいて、照明装置１００ｄが通信途絶となっていることを示す途絶情報を残りのすべての照明装置１，１００ａ〜１００ｃが取得できる。すなわち、実施形態に係る照明システムＳにおいて、点検者がどの照明装置１，１００ａ〜１００ｃと通信したとしても、照明装置１００ｄの通信途絶を知ることができる。
【００８６】
なお、図８では、他の照明装置１００ｄが通信途絶である場合を示したが、例えば、他の照明装置１００ｃが通信途絶となった場合、照明装置１および他の照明装置１００ａ，１００ｂ，１００ｄそれぞれが通信途絶を検出する。
【００８７】
次に、図９〜図１１を用いて、実施形態に係る照明装置１が実行する処理手順について説明する。図９は、照明装置１が実行するモード切替処理の処理手順を示すフローチャートである。図１０は、照明装置１が実行する出力処理（その１）の処理手順を示すフローチャートである。図１１は、照明装置１が実行する出力処理（その２）の処理手順を示すフローチャートである。
【００８８】
まず、図９を用いて、モード切替処理について説明する。図９に示すように、まず、切替部１４３は、切替先を第１モードｍｄ１に設定する（ステップＳ１０１）。つづいて、切替部１４３は、所定のモード条件を満たすか否かを判定する（ステップＳ１０２）。例えば、切替部１４３は、点検者等のユーザの端末装置２００から点検指示を示す指示情報を取得した場合に、モード条件を満たすと判定する。
【００８９】
切替部１４３は、モード条件を満たした場合（ステップＳ１０２，Ｙｅｓ）、第１モードｍｄ１から第２モードｍｄ２へ切り替え（ステップＳ１０３）、処理を終了する。なお、切替部１４３は、モード条件を満たさない場合（ステップＳ１０２，Ｎｏ）、処理をステップＳ１０１へ移行する。
【００９０】
次に、図１０を用いて、照明装置１の異常時における出力処理について説明する。図１０に示すように、まず、検出部１４１は、照明装置１の動作状況を検出する（ステップＳ２０１）。
【００９１】
つづいて、検出部１４１は、検出処理の結果、動作異常が有るか否かを判定する（ステップＳ２０２）。生成部１４２は、動作異常が有ると判定された場合（ステップＳ２０２，Ｙｅｓ）、通信部１２の電波範囲が第１電波範囲Ｒ１２ａであるか否かを判定する（ステップＳ２０３）。
【００９２】
生成部１４２は、通信部１２の電波範囲が第１電波範囲Ｒ１２ａであった場合（ステップＳ２０３，Ｙｅｓ）、動作異常を簡易的に示す簡易情報を生成し、通信部１２を介して他の照明装置１００へ簡易情報を出力し（ステップＳ２０４）、処理を終了する。
【００９３】
一方、検出部１４１は、動作異常が無かった場合（ステップＳ２０２，Ｎｏ）、処理を終了する。また、生成部１４２は、通信部１２の電波範囲が第１電波範囲Ｒ１２ａではない、つまり、第２電波範囲Ｒ１２ｂである場合（ステップＳ２０３，Ｎｏ）、動作異常を詳細に示す詳細情報を生成し、通信部１２を介して端末装置２００へ詳細情報を出力し（ステップＳ２０５）、処理を終了する。
【００９４】
次に、図１１を用いて、他の照明装置１００の通信異常時における照明装置１の出力処理について説明する。図１１に示すように、まず、検出部１４１は、他の照明装置１００との通信途絶が有るか否かを判定する（ステップＳ３０１）。
【００９５】
生成部１４２は、検出部１４１によって他の照明装置１００との通信途絶が有ると判定された場合（ステップＳ３０１，Ｙｅｓ）、通信途絶を示す途絶情報を生成し、通信可能な（通信途絶となっていない）他の照明装置１００へ途絶情報を出力し（ステップＳ３０２）、処理を終了する。一方、生成部１４２は、検出部１４１によって他の照明装置１００との通信途絶が無いと判定された場合（ステップＳ３０１，Ｎｏ）、処理を終了する。
【００９６】
上述したように、実施形態に係る照明装置１は、光源１１と、通信部１２と、切替部１４３とを具備する。光源１１は、周囲を照明する。通信部１２は、所定位置に配置された他の照明装置１００と通信可能である。切替部１４３は、通信部１２の電波範囲について、他の照明装置１００の位置を含む第１電波範囲Ｒ１２ａと、他の照明装置１００の位置を含まない第２電波範囲Ｒ１２ｂとを、所定の切替条件に基づいて切り替える。これにより、通信トラフィックを適切に制御することができる。
【００９７】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００９８】
１    照明装置
６    外部電源
１１，１１０    光源
１２，１２０    通信部
１３    蓄電池
１４    制御部
１５    記憶部
１００，１００ａ〜１００ｄ    他の照明装置
１４１    検出部
１４２    生成部
１４３    切替部
１５１    モード情報
１５２    状況情報
１５３    他装置情報
２００    端末装置
Ｒ１２ａ，Ｒ１２０ａａ〜Ｒ１２０ａｄ    第１電波範囲
Ｒ１２ｂ，Ｒ１２０ｂａ〜Ｒ１２０ｂｄ    第２電波範囲
Ｓ    照明システム
【図１】
2019175796.tif 000003
【図２】
2019175796.tif 000004
【図３】
2019175796.tif 000005
【図４】
2019175796.tif 000006
【図５】
2019175796.tif 000007
【図６】
2019175796.tif 000008
【図７】
2019175796.tif 000009
【図８】
2019175796.tif 000010
【図９】
2019175796.tif 000011
【図１０】
2019175796.tif 000012
【図１１】
2019175796.tif 000013